(57)【要約】【課題】  取引の内容を特定するためのパスワードを必要とせず、セキュリティの面でも安全性の高い登録振込方法および登録振込システムを提供する。【解決手段】  金銭の振り込みに必要とされる振込情報と振込人の指紋とを一対一に対応させて予めデータベースに登録しておき、金銭の振り込みに際し、指紋センサ２０を介して指紋を振込人から振込処理装置３に入力し、この指紋に基いて振込処理装置３によりデータベースを検索し、この指紋に対応してデータベースに登録されている振込情報に従って金銭の振込処理を実行することで、複雑なパスワードの暗証から振込人を開放する。特に、バイオメトリクス認証データとして指紋を利用することで、一人の振込人が複数（最大１０種類）の振込情報を取り扱えるようにし、振込情報の取り扱いの利便性を向上させる。【選択図】図７
2006119851.tif 000002
【特許請求の範囲】
【請求項１】
身体的な特徴もしくは身体的な特性を表すバイオメトリクス認証データを利用した登録振込方法であって、
金銭の振り込みに必要とされる振込情報と振込人のバイオメトリクス認証データとを一対一に対応させて予めデータベースに登録しておき、
金銭の振り込みに際し、バイオメトリクス認証データを抽出するセンサを介してバイオメトリクス認証データを振込人から振込処理装置に入力し、このバイオメトリクス認証データに基いて前記振込処理装置により前記データベースを検索し、
一致するバイオメトリクス認証データが前記データベースから検索された場合には該バイオメトリクス認証データに対応して前記データベースに登録されている振込情報に従って前記振込処理装置が金銭の振込処理を実行する一方、
一致するバイオメトリクス認証データが前記データベースから検索されない場合には前記振込処理装置による金銭の振込処理を禁止することを特徴とした登録振込方法。
【請求項２】
振込情報と振込人のバイオメトリクス認証データとを一対一に対応させて前記データベースに登録する際に、
前記センサを介してバイオメトリクス認証データを振込人から振込処理装置に入力し、このバイオメトリクス認証データに基いて前記振込処理装置により前記データベースを検索し、
一致するバイオメトリクス認証データが前記データベースから検索された場合には該バイオメトリクス認証データに対応して前記データベースに登録されている振込情報の書き換えを前記振込処理装置に許容する一方、
一致するバイオメトリクス認証データが前記データベースから検索されない場合にはバイオメトリクス認証データおよび振込情報の新規登録のみを前記振込処理装置に許容することを特徴とした請求項１記載の登録振込方法。
【請求項３】
振込情報と振込人のバイオメトリクス認証データとを一対一に対応させて前記データベースに登録する際に、
前記センサを介してバイオメトリクス認証データを振込人から振込処理装置に入力し、このバイオメトリクス認証データに基いて前記振込処理装置により前記データベースを検索し、
一致するバイオメトリクス認証データが前記データベースから検索された場合には前記データベースに登録されている該バイオメトリクス認証データを新たに入力されたバイオメトリクス認証データに書き換える処理を前記振込処理装置に許容する一方、
一致するバイオメトリクス認証データが前記データベースから検索されない場合にはバイオメトリクス認証データおよび振込情報の新規登録のみを前記振込処理装置に許容することを特徴とした請求項１または請求項２記載の登録振込方法。
【請求項４】
前記センサを指紋センサで構成することを特徴とした請求項１，請求項２または請求項３記載の登録振込方法。
【請求項５】
身体的な特徴もしくは身体的な特性を表すバイオメトリクス認証データを利用した登録振込システムであって、
金銭の振り込みに必要とされる振込情報と振込人のバイオメトリクス認証データとを一対一に対応させて登録するデータベースを備えた記憶装置と、金銭の振り込みに利用される振込処理装置と、前記振込処理装置に併設されたバイオメトリクス認証データ抽出用のセンサと、前記記憶装置と前記振込処理装置とを情報伝達可能に接続する回線とを有し、
前記振込処理装置には、金銭の振り込みに際して前記センサから入力されたバイオメトリクス認証データを一時記憶する一時記憶手段と、該一時記憶手段に記憶されたバイオメトリクス認証データに基いて前記記憶装置のデータベースを検索し前記一時記憶手段に記憶されたバイオメトリクス認証データと一致するバイオメトリクス認証データが前記データベースに登録されているか否かを判定する検索判定手段と、該検索判定手段により一致するバイオメトリクス認証データが検索された場合に限り該バイオメトリクス認証データに対応して前記データベースに登録されている振込情報に従って金銭の振込処理を実行する金銭振込手段とが設けられていることを特徴とした登録振込システム。
【請求項６】
前記振込処理装置には、金銭の振り込みに必要とされる振込情報と振込人のバイオメトリクス認証データとを一対一に対応させて登録するための登録モードもしくは金銭を振り込むための振込モードの何れか一方を選択するための機能切替手段と、金銭の振り込みに必要とされる振込情報を入力するためのデータ入力手段と、前記機能切替手段により登録モードが選択された状況下で前記センサから入力されたバイオメトリクス認証データが前記一時記憶手段に一時記憶されると該一時記憶手段に記憶されたバイオメトリクス認証データに基いて前記記憶装置のデータベースを検索し前記一時記憶手段に記憶されたバイオメトリクス認証データと一致するバイオメトリクス認証データが前記データベースに登録されている場合には振込人からの要求に応じて該バイオメトリクス認証データに対応して前記データベースに登録されている振込情報を前記データ入力手段を介して新たに入力された振込情報に書き換える振込情報書換手段とが設けられていることを特徴とした請求項５記載の登録振込システム。
【請求項７】
前記振込処理装置には、前記機能切替手段により登録モードが選択された状況下で前記センサから入力されたバイオメトリクス認証データが前記一時記憶手段に一時記憶されると該一時記憶手段に記憶されたバイオメトリクス認証データに基いて前記記憶装置のデータベースを検索し前記一時記憶手段に記憶されたバイオメトリクス認証データと一致するバイオメトリクス認証データが前記データベースに登録されている場合には振込人からの要求に応じて前記センサを再度作動させ前記データベースに登録されている該バイオメトリクス認証データを新たに入力されたバイオメトリクス認証データに書き換えるバイオメトリクス認証データ書換手段が設けられていることを特徴とした請求項６記載の登録振込システム。
【請求項８】
前記センサが指紋センサによって構成されていることを特徴とした請求項５，請求項６または請求項７記載の登録振込システム。
【発明の詳細な説明】
【技術分野】
【０００１】
本発明は、身体的な特徴もしくは身体的な特性を表すバイオメトリクス認証データを利用した登録振込方法および登録振込システムに関する。
【背景技術】
【０００２】
銀行振込等の処理では、通信種目コード，受信銀行名，支店名，口座番号，受取人名，振込人名等の振込情報を書面に記載するか、或いは、振込処理装置に入力して個々の取引の内容を特定する必要があり、振込人の作業が煩雑化する問題がある。
【０００３】
この種の問題を解消するための手段としては、例えば、特許文献１に開示されるような代金支払方法および代金支払システムが既に提案されている。この代金支払方法および代金支払システムは、通信種目コード，受信銀行名，支店名，口座番号，受取人名，振込人名等の振込情報に対応するコード番号を振込人が金融機関に登録しておき、このコード番号を参照して振込作業を行うことで同じ支払い先に対する第２回目以降の代金支払の手続を簡略化するものであるが、セキュリティを高度にするためにはコード番号を複雑化する必要があり、これを記憶する振込人の負担が増大する弊害が生じる。
【０００４】
また、指紋，掌紋，手形，虹彩，顔，声紋等を始めとする身体的な特徴、或いは、筆跡等を始めとする身体的な特性であるバイオメトリクス認証データを利用した照合処理に関わるセキュリティの強化手段としては、例えば、特許文献２に開示されるような個人認証方法が既に提案されている。しかし、この個人認証方法は、認証の対象となる人物が有する複数のバイオメトリクス認証データ、例えば、指紋や声紋とパスワードとを組み合わせて多重的なチェックを行うことで認証精度を向上させようとするもので、金融決済等のセキュリティ強化に利用可能な技術ではあるが、個々の取引の内容を特定するためには依然としてパスワード等の手段を必要とし、振込人側の利便性に関しては特許文献１に開示されるような代金支払方法および代金支払システムと同様の問題、つまり、振込人の負担の増大といった問題が残る。なお、特許文献２に開示される技術思想は、同一人物が有する指紋や声紋といった複数のバイオメトリクス認証データを組み合わせてセキュリティの強化を図るといったもので、同一人物が有する複数のバイオメトリクス認証データの各々を有効活用するといったものではない。
【０００５】
【特許文献１】特開２０００−２２７９３７号公報（段落番号０００８）
【特許文献２】特開２００１−３５１０４７号公報（段落番号０００１）
【発明の開示】
【発明が解決しようとする課題】
【０００６】
本発明の課題は、前記従来技術の不都合を改善し、取引の内容を特定するためのパスワードを必要とせず、セキュリティの面でも安全性の高い登録振込方法および登録振込システムを提供することにある。
【課題を解決するための手段】
【０００７】
本発明の登録振込方法は、身体的な特徴もしくは身体的な特性を表すバイオメトリクス認証データを利用した登録振込方法であり、前記課題を達成するため、特に、
金銭の振り込みに必要とされる振込情報と振込人のバイオメトリクス認証データとを一対一に対応させて予めデータベースに登録しておき、
金銭の振り込みに際し、バイオメトリクス認証データを抽出するセンサを介してバイオメトリクス認証データを振込人から振込処理装置に入力し、このバイオメトリクス認証データに基いて振込処理装置によりデータベースを検索し、
一致するバイオメトリクス認証データがデータベースから検索された場合には該バイオメトリクス認証データに対応してデータベースに登録されている振込情報に従って前記振込処理装置が金銭の振込処理を実行する一方、
一致するバイオメトリクス認証データがデータベースから検索されない場合には前記振込処理装置による金銭の振込処理を禁止することを特徴とした構成を有する。
【０００８】
以上の構成により、金銭の振り込みに必要とされる振込情報と振込人のバイオメトリクス認証データとを一対一に対応させて予めデータベースに登録しておく。
そして、金銭の振り込みに際して振込人がセンサを介してバイオメトリクス認証データを振込処理装置に入力すると、このバイオメトリクス認証データに基いて振込処理装置がデータベースを検索する。
ここで、一致するバイオメトリクス認証データがデータベースから検索された場合には、このバイオメトリクス認証データに対応してデータベースに登録されている振込情報に従って振込処理装置による金銭の振込処理が実行され、また、一致するバイオメトリクス認証データがデータベースから検索されない場合には、振込処理装置による金銭の振込処理が禁止される。
従って、振込人は、センサを介してバイオメトリクス認証データを振込処理装置に入力するといった簡単な作業で金銭の振込処理を行うことができ、複雑なパスワードの暗証から開放される。また、パスワードとは違い、個人の特性に帰属するバイオメトリクス認証データ自体を第三者が盗用することは困難であるため、金銭の振り込みに必要とされる振込情報の安全性が保障される。更に、データベースにバイオメトリクス認証データを登録していない振込人が金銭の振り込みを行うことは完全に禁止され、また、データベースにバイオメトリクス認証データを登録している振込人であっても、予め登録された振込情報で特定される取引以外の振り込みは実行できないので、通信種目コード，受信銀行名，支店名，口座番号，受取人名，振込人名等の入力ミスが確実に防止される。
しかも、バイオメトリクス認証データは、同一の振込人から、例えば、指紋，掌紋，手形，虹彩，顔，声紋等のように複数種のものを抽出でき、更に、指紋については左右の手を合わせて１０種，掌紋および手形については左右の手を合わせて各２種，虹彩については左右の目を合わせて２種といったように多数のものを抽出できるので、各バイオメトリクス認証データ毎に相異なる振込情報を対応させて登録することが可能であり、一人の振込人が複数の振込情報を登録して、これらの振込情報を有効利用することができるようになる。
【０００９】
更に、振込情報と振込人のバイオメトリクス認証データとを一対一に対応させてデータベースに登録する際に、
センサを介してバイオメトリクス認証データを振込人から振込処理装置に入力し、このバイオメトリクス認証データに基いて振込処理装置によりデータベースを検索し、
一致するバイオメトリクス認証データがデータベースから検索された場合には該バイオメトリクス認証データに対応してデータベースに登録されている振込情報の書き換えを前記振込処理装置に許容する一方、
一致するバイオメトリクス認証データがデータベースから検索されない場合にはバイオメトリクス認証データおよび振込情報の新規登録のみを前記振込処理装置に許容するように構成してもよい。
【００１０】
このような構成を適用した場合、バイオメトリクス認証データがデータベースに登録されていることを前提に該バイオメトリクス認証データに対応する振込情報の書き換えが許容されるので、振込人が必要とする取引の変化等に応じて、受信銀行名，支店名，口座番号，受取人名等を容易に変更することができる。
【００１１】
また、振込情報と振込人のバイオメトリクス認証データとを一対一に対応させてデータベースに登録する際に、
センサを介してバイオメトリクス認証データを振込人から振込処理装置に入力し、このバイオメトリクス認証データに基いて振込処理装置によりデータベースを検索し、
一致するバイオメトリクス認証データがデータベースから検索された場合にはデータベースに登録されている該バイオメトリクス認証データを新たに入力されたバイオメトリクス認証データに書き換える処理を前記振込処理装置に許容する一方、
一致するバイオメトリクス認証データがデータベースから検索されない場合にはバイオメトリクス認証データおよび振込情報の新規登録のみを前記振込処理装置に許容するように構成してもよい。
【００１２】
このような構成を適用した場合は、振込人に固有のバイオメトリクス認証データの１つがデータベースに登録されていることを前提に、このバイオメトリクス認証データ自体を、この振込人が有する他のバイオメトリクス認証データに書き換えることが許容される。
従って、例えば、右手人差指の指紋から抽出されたバイオメトリクス認証データに対応させて振込情報を登録しておいた場合では、この振込情報を再入力せずに、改めて、この振込情報を右手親指の指紋から抽出されるバイオメトリクス認証データに対応させて再登録するといった作業が可能となる。
【００１３】
センサとしては、指紋，掌紋，手形，虹彩，顔，声紋等を抽出するものを複数配備することも考えられるが、コストおよび利便性の点からみて、単一の指紋センサを利用することが望ましい。
【００１４】
単一の指紋センサを利用した場合であっても、一人の振込人が、左右の手を合わせて最大で１０種の振込情報を自由に取り扱うことが可能となる。
【００１５】
本発明の登録振込システムは、身体的な特徴もしくは身体的な特性を表すバイオメトリクス認証データを利用した登録振込システムであり、前記課題を達成するため、特に、
金銭の振り込みに必要とされる振込情報と振込人のバイオメトリクス認証データとを一対一に対応させて登録するデータベースを備えた記憶装置と、金銭の振り込みに利用される振込処理装置と、この振込処理装置に併設されたバイオメトリクス認証データ抽出用のセンサと、前記記憶装置と振込処理装置とを情報伝達可能に接続する回線とを有し、
前記振込処理装置には、金銭の振り込みに際してセンサから入力されたバイオメトリクス認証データを一時記憶する一時記憶手段と、該一時記憶手段に記憶されたバイオメトリクス認証データに基いて記憶装置のデータベースを検索し前記一時記憶手段に記憶されたバイオメトリクス認証データと一致するバイオメトリクス認証データがデータベースに登録されているか否かを判定する検索判定手段と、該検索判定手段により一致するバイオメトリクス認証データが検索された場合に限り該バイオメトリクス認証データに対応してデータベースに登録されている振込情報に従って金銭の振込処理を実行する金銭振込手段とが設けられていることを特徴とした構成を有する。
【００１６】
以上の構成により、金銭の振り込みに必要とされる振込情報と振込人のバイオメトリクス認証データとを一対一に対応させて予め記憶装置のデータベースに登録しておく。
そして、金銭の振り込みに際して振込人がセンサを介してバイオメトリクス認証データを振込処理装置に入力すると、このバイオメトリクス認証データが振込処理装置の一時記憶手段に記憶される。
振込処理装置の検索判定手段は、一時記憶手段に記憶されたバイオメトリクス認証データに基いて前記回線を介して記憶装置のデータベースを検索し、該一時記憶手段に記憶されたバイオメトリクス認証データと一致するバイオメトリクス認証データがデータベースに登録されているか否かを判定する。なお、この回線は、記憶装置と振込処理装置とが遠隔して存在する場合には専用回線あるいはインターネット等の通信回線であり、記憶装置と振込処理装置とが実質的に同一の場所に存在する場合には通信用の内部バス等で構成される。
そして、検索判定手段により一致するバイオメトリクス認証データが検索された場合に限り、振込処理装置の金銭振込手段が作動し、該バイオメトリクス認証データに対応してデータベースに登録されている振込情報に従って金銭の振込処理を実行する。
従って、振込人は、センサを介してバイオメトリクス認証データを振込処理装置に入力するといった簡単な作業で金銭の振込処理を行うことができ、複雑なパスワードの暗証から開放される。また、パスワードとは違い、個人の特性に帰属するバイオメトリクス認証データ自体を第三者が盗用することは困難であるため、金銭の振り込みに必要とされる振込情報の安全性が保障される。更に、データベースにバイオメトリクス認証データを登録していない振込人が金銭の振り込みを行うことは完全に禁止され、また、データベースにバイオメトリクス認証データを登録している振込人であっても、予め登録された振込情報で特定される取引以外の振り込みは実行できないので、通信種目コード，受信銀行名，支店名，口座番号，受取人名，振込人名等の入力ミスが確実に防止される。
しかも、バイオメトリクス認証データは、同一の振込人から、例えば、指紋，掌紋，手形，虹彩，顔，声紋等のように複数種のものを抽出でき、更に、指紋については左右の手を合わせて１０種，掌紋および手形については左右の手を合わせて各２種，虹彩については左右の目を合わせて２種といったように多数のものを抽出できるので、各バイオメトリクス認証データ毎に相異なる振込情報を対応させて登録することが可能であり、一人の振込人が複数の振込情報を登録して、これらの振込情報を有効利用することができる。
【００１７】
更に、前記振込処理装置には、金銭の振り込みに必要とされる振込情報と振込人のバイオメトリクス認証データとを一対一に対応させて登録するための登録モードもしくは金銭を振り込むための振込モードの何れか一方を選択するための機能切替手段と、金銭の振り込みに必要とされる振込情報を入力するためのデータ入力手段と、前記機能切替手段により登録モードが選択された状況下でセンサから入力されたバイオメトリクス認証データが前記一時記憶手段に一時記憶されると、該一時記憶手段に記憶されたバイオメトリクス認証データに基いて前記記憶装置のデータベースを検索し、一時記憶手段に記憶されたバイオメトリクス認証データと一致するバイオメトリクス認証データがデータベースに登録されている場合には、振込人からの要求に応じて、該バイオメトリクス認証データに対応して前記データベースに登録されている振込情報を前記データ入力手段を介して新たに入力された振込情報に書き換える振込情報書換手段とを設けることができる。
【００１８】
このような構成を適用した場合、金銭の振り込みに必要とされる振込情報と振込人のバイオメトリクス認証データとを一対一に対応させて登録する処理は、振込処理装置の機能切替手段によって登録モードが選択された状況下で実行される。
登録モードが選択された状況下でセンサから入力されたバイオメトリクス認証データが振込処理装置の一時記憶手段に一時記憶されると、振込処理装置の振込情報書換手段が作動し、一時記憶手段に記憶されたバイオメトリクス認証データに基いて記憶装置のデータベースを検索する。
そして、この一時記憶手段に記憶されたバイオメトリクス認証データと一致するバイオメトリクス認証データがデータベースに登録されている場合には、振込人からの要求がある場合に限り、振込処理装置の振込情報書換手段が更に作動し、このバイオメトリクス認証データに対応して前記データベースに登録されている振込情報を、振込人が前記データ入力手段を介して新たに入力した振込情報に書き換える。
従って、バイオメトリクス認証データがデータベースに登録されていることを前提に該バイオメトリクス認証データに対応する振込情報の書き換えが許容されることになり、振込人が必要とする取引の変化等に応じ、振込人からの要求により振込人自らの手でデータ入力手段を操作して受信銀行名，支店名，口座番号，受取人名等を容易に変更することができる。
振込モードが選択された状況下で振込人がセンサを介してバイオメトリクス認証データを振込処理装置に入力した場合の処理動作に関しては前記と同様である。
【００１９】
また、前記振込処理装置には、前記機能切替手段により登録モードが選択された状況下で前記センサから入力されたバイオメトリクス認証データが前記一時記憶手段に一時記憶されると、該一時記憶手段に記憶されたバイオメトリクス認証データに基いて記憶装置のデータベースを検索し、前記一時記憶手段に記憶されたバイオメトリクス認証データと一致するバイオメトリクス認証データが前記データベースに登録されている場合には、振込人からの要求に応じて、前記センサを再度作動させ前記データベースに登録されている該バイオメトリクス認証データを新たに入力されたバイオメトリクス認証データに書き換えるバイオメトリクス認証データ書換手段を設けるようにしてもよい。
【００２０】
このような構成を適用した場合、登録モードが選択された状況下でセンサから入力されたバイオメトリクス認証データが振込処理装置の一時記憶手段に一時記憶されると、振込処理装置のバイオメトリクス認証データ書換手段が作動し、一時記憶手段に記憶されたバイオメトリクス認証データに基いて記憶装置のデータベースを検索する。
そして、この一時記憶手段に記憶されたバイオメトリクス認証データと一致するバイオメトリクス認証データがデータベースに登録されている場合には、振込人からの要求がある場合に限り、振込処理装置のバイオメトリクス認証データ書換手段が更に作動し、前記センサを再度作動させて、前記データベースに登録されているバイオメトリクス認証データを新たに入力されたバイオメトリクス認証データに書き換える。
従って、振込人に固有のバイオメトリクス認証データの１つがデータベースに登録されていることを前提に、このバイオメトリクス認証データ自体を、この振込人が有する他のバイオメトリクス認証データに書き換えることが許容されることになる。
このため、例えば、右手親指の指紋から抽出されたバイオメトリクス認証データに対応させて振込情報を登録しておいた場合では、この振込情報を再入力することなく、振込人からの要求により振込人自らの手で、改めて、この振込情報を右手薬指の指紋から抽出されるバイオメトリクス認証データに対応させて再登録するといった作業が可能となる。
振込モードが選択された状況下で振込人がセンサを介してバイオメトリクス認証データを振込処理装置に入力した場合の処理動作に関しては前記と同様である。
【００２１】
センサとしては、指紋，掌紋，手形，虹彩，顔，声紋等を抽出するものを複数配備することも考えられるが、コストおよび利便性の点からみて、単一の指紋センサを利用することが望ましい。
【００２２】
単一の指紋センサを利用した場合であっても、一人の振込人が、左右の手を合わせて最大で１０種の振込情報を自由に取り扱うことが可能となる。
【発明の効果】
【００２３】
本発明の登録振込方法および登録振込システムは、金銭の振り込みに必要とされる振込情報と振込人のバイオメトリクス認証データとを一対一に対応させて予めデータベースに登録しておき、金銭の振り込みに際し、バイオメトリクス認証データを抽出するセンサを介してバイオメトリクス認証データを振込人から振込処理装置に入力し、このバイオメトリクス認証データに基いて振込処理装置によりデータベースを検索し、一致するバイオメトリクス認証データがデータベースから検索された場合には該バイオメトリクス認証データに対応してデータベースに登録されている振込情報に従って振込処理装置が金銭の振込処理を実行する一方、一致するバイオメトリクス認証データがデータベースから検索されない場合には振込処理装置による金銭の振込処理を禁止するようにしているので、振込人は、センサを介してバイオメトリクス認証データを振込処理装置に入力するといった簡単な作業で金銭の振込処理を行うことができ、複雑なパスワードの暗証から開放される。
また、パスワードとは違い、個人の特性に帰属するバイオメトリクス認証データ自体を第三者が盗用することは困難であるため、金銭の振り込みに必要とされる振込情報の安全性が保障される。更に、データベースにバイオメトリクス認証データを登録していない振込人が金銭の振り込みを行うことは完全に禁止され、また、データベースにバイオメトリクス認証データを登録している振込人であっても、予め登録された振込情報で特定される取引以外の振り込みは実行できないので、通信種目コード，受信銀行名，支店名，口座番号，受取人名，振込人名等の入力ミスが確実に防止される。
しかも、バイオメトリクス認証データは、同一の振込人から複数種のものを抽出できるので、各バイオメトリクス認証データ毎に相異なる振込情報を対応させて登録することが可能であり、一人の振込人が複数の振込情報を登録して、これらの振込情報を有効利用することができる。
【発明を実施するための最良の形態】
【００２４】
次に、本発明を実施するための最良の形態について図面を参照して詳細に説明する。図１は本発明の登録振込方法を適用した登録振込システムの構成の概略を示したブロック図である。
【００２５】
この実施形態の登録振込システム１は、図１に示されるように、概略において、記憶装置を有するサーバ２と、銀行に設置されるＡＴＭ等の振込処理装置３、および、サーバ２と振込処理装置３とを情報伝達可能に接続する専用回線４によって構成される。
【００２６】
サーバ２は、ワークステーション等を始めとする通常のコンピュータによって構成されるもので、図２に示されるように、演算処理用のＣＰＵ５と、ＣＰＵ５の駆動制御に必要とされる基本的な制御プログラムを格納したＲＯＭ６、および、演算データの一時記憶に利用されるＲＡＭ７や、大容量記憶装置として機能するハードディスクドライブ８等を備え、ＣＰＵ５の入出力回路９には、マン・マシン・インターフェイスとして機能するキーボード１０およびマウス１１とモニタ１２、プリンタ１３等が接続されている。
【００２７】
ハードディスクドライブ８は、金銭の振り込みに必要とされる振込情報と振込人のバイオメトリクス認証データの一種である指紋とを一対一に対応させて登録するデータベースを備えた記憶装置として機能し、ハードディスクドライブ８と振込処理装置３との間の情報伝達は、サーバ２のＣＰＵ５およびインターフェイス回路１４と専用回線４を介して行われるようになっている。
【００２８】
ＡＴＭ等で代表される振込処理装置３は、図３に示されるように、キャッシュカードやクレジットカード等を処理するためのカード処理装置１５と現金処理装置１６および通帳処理装置１７を備え、装置の操作手順や処理過程の表示に利用されるモニタ１８の前面には、文字や数字等の入力に利用されるデータ入力手段として機能するタッチパネル１９が設けられている。
【００２９】
更に、この実施形態においては、振込人の指からバイオメトリクス認証データである指紋を抽出するための指紋センサ２０が振込処理装置３に併設されている。カード処理装置１５，現金処理装置１６，通帳処理装置１７，モニタ１８，タッチパネル１９の各々は、ＣＰＵ２２の管理の下、ＲＯＭ２１に格納された制御プログラムに従って入出力回路２３を介して従来と同様に駆動制御される。
【００３０】
また、演算データの一時記憶に利用されるＲＡＭ２４は、指紋センサ２０から入力された指紋を一時記憶する一時記憶手段として機能し、タッチパネル１９は、振込処理装置３の動作モードを登録モード，振込モード，通常モードの何れかに選択的に切り替える機能切替手段としても機能する。振込処理装置３側のＣＰＵ２２とサーバ２側の記憶装置であるハードディスクドライブ８との間の情報伝達は、既に述べたように、インターフェイス回路２５と専用回線４を介して行われる。
【００３１】
図４〜図６は振込処理装置３のＣＰＵ２２が実行する処理の概略を示したフローチャートである。このうち図４〜図５は、専ら、振込情報と振込人の指紋とを一対一に対応させてハードディスクドライブ８のデータベースに登録するための登録モードに関連した処理であり、また、図６はバイオメトリクス認証データである指紋を利用して金銭を振り込むための振込モードに関連した処理である。
【００３２】
次に、図４〜図６を参照して、検索判定手段，金銭振込手段，振込情報書換手段，バイオメトリクス認証データ書換手段として機能するＣＰＵ２２の処理動作について具体的に説明する。
【００３３】
まず、電源投入後の初期化処理（公知のイニシャライズ処理）が完了すると、ＣＰＵ２２は、機能切替手段として機能するタッチパネル１９から、振込処理装置３の動作モードを登録モードに切り替える指令が入力されているか否か（ステップＳ１）、および、振込処理装置３の動作モードを振込モードに切り替える指令が入力されているか否かを判定する（ステップＳ２）。そして、何れの指令も入力されていなければ、カード処理装置１５，現金処理装置１６，通帳処理装置１７，モニタ１８，タッチパネル１９等を駆動制御して、カード，現金，通帳等を利用した通常の預け入れ，引き出し，送金等の処理を従来と同様にして繰り返し実行する（ステップＳ３）。これらの点については既に公知であるから説明を省略する。
【００３４】
一方、ステップＳ１の判定処理で振込処理装置３の動作モードを登録モードに切り替える指令が検出された場合、つまり、振込人がタッチパネル１９を操作して振込情報や指紋の新規登録もしくは書き換え等を要求した場合には、ＣＰＵ２２は、登録モードの処理を開始し、まず、金銭の振り込みに必要とされる振込情報を入力する旨のガイダンスメッセージ、例えば、
「タッチパネルを操作して、通信種目コード，受信銀行名，支店名，口座番号，受取人名，振込人名を入力して下さい。なお、指紋を更新する場合には、タッチパネルの“入力完了”を選択するだけで結構です。」
等のガイダンスメッセージをモニタ１８に表示し（ステップＳ４）、振込人によるデータ入力を待つ待機状態に入る（ステップＳ５）。
【００３５】
そして、振込人がタッチパネル１９を操作して振込情報を入力すると（図７（ａ）参照）、ＣＰＵ２２は、この振込情報をＲＡＭ２４に一時記憶した後（ステップＳ６）、更に、指紋を登録する旨のガイダンスメッセージ、例えば、
「指紋センサに指を置いて指紋を登録して下さい。指紋を更新する場合には、登録済みの指の指紋を読み込ませて下さい。」
等のガイダンスメッセージをモニタ１８に表示し（ステップＳ７，図７（ｂ）参照）、振込人による指紋の入力を待つ待機状態に入る（ステップＳ８）。なお、ステップＳ５の処理で“入力完了”の選択操作のみが検出された場合、ＲＡＭ２４には実質的な振込情報は記憶されない。
【００３６】
そして、振込人が指紋センサ２０に指を置いて指紋を入力すると、ＣＰＵ２２は、この指紋を指紋センサ２０を介して読み込み、ＲＡＭ２４に一時記憶する（ステップＳ９）。
【００３７】
次いで、振込情報書換手段およびバイオメトリクス認証データ書換手段として機能するＣＰＵ２２が、インターフェイス回路２５と専用回線４およびサーバ２側のＣＰＵ５を介してサーバ２のハードディスクドライブ８にアクセスしてデータベースを検索し（ステップＳ１０）、ＲＡＭ２４に一時記憶された指紋と一致する指紋がハードディスクドライブ８のデータベースに既に登録されているか否かを判定する（ステップＳ１１）。
【００３８】
ここで、ステップＳ１１の判定結果が偽となった場合、つまり、ＲＡＭ２４に一時記憶された指紋と一致する指紋がハードディスクドライブ８のデータベースから検索されなかった場合には、ＣＰＵ２２は、振込情報および指紋の新規登録のみを許容し、ステップＳ６の処理でＲＡＭ２４に一時記憶された振込情報（図７（ａ）参照）とステップＳ９の処理でＲＡＭ２４に一時記憶された指紋（図７（ｂ）参照）とを一対一に対応させて、サーバ２側の記憶装置であるハードディスクドライブ８のデータベースに新規登録し（ステップＳ１２，図７（ｃ）参照）、モニタ１８のガイダンスメッセージ等の表示をクリアして（ステップＳ１３）、登録モードの処理を終了する。
【００３９】
これに対し、ステップＳ１１の判定結果が真となった場合、つまり、ＲＡＭ２４に一時記憶された指紋と一致する指紋が既にハードディスクドライブ８のデータベースに登録されていることが明らかとなった場合には、振込人が誤って同じ指の指紋に対し重複して２以上の振込情報の割り付けを行おうとしているのか、あるいは、既に登録済みの振込情報の書き換えを望んでいるのか、もしくは、既に登録済みの指紋の書き換えを望んでいるのかの何れかである。
【００４０】
従って、この場合、ＣＰＵ２２は、まず、指紋の重複登録を警戒する旨の警告メッセージ、例えば、
「この指の指紋に対応する振込情報は既に登録されています。誤操作の場合はタッチパネルの“キャンセル”を選択して下さい。」
等の警戒メッセージをモニタ１８に表示し（ステップＳ１４）、更に、振込情報や指紋の書き換えのための処理操作を振込人に教示するガイダンスメッセージ、例えば、
「もし、この指の指紋に対応する振込情報を書き換えたければ、タッチパネルの“振込情報更新”を選択してから通信種目コード，受信銀行名，支店名，口座番号，受取人名，振込人名を再登録して下さい。あるいは、この振込情報に対応する指紋を書き換えたければ、タッチパネルの“指紋更新”を選択してから指紋センサに別の指を置いて指紋を再登録して下さい。」
等のガイダンスメッセージをモニタ１８に表示して振込情報および指紋の書き換えを許容し（ステップＳ１５）、振込人による選択操作を待つ待機状態に入る（ステップＳ１６〜ステップＳ１８）。
【００４１】
ここで、ステップＳ１８の判定結果が真となった場合、つまり、タッチパネル１９上の“キャンセル”が選択された場合には、振込人に振込情報や指紋の書き換えの意思がないこと、即ち、登録済みの指紋を有する指が誤って指紋センサ２０に置かれたことを意味するので、振込情報書換手段およびバイオメトリクス認証データ書換手段として機能するＣＰＵ２２は、振込情報や指紋の書き換えに必要とされるステップＳ１９〜ステップＳ２０の処理を非実行とし、モニタ１８の警戒メッセージやガイダンスメッセージ等の表示をクリアして（ステップＳ１３）、このまま登録モードの処理を終了する。
【００４２】
一方、ステップＳ１６の判定結果が真となった場合、つまり、タッチパネル１９上の“振込情報更新”が選択された場合には、振込情報の書き換えを行う明確な意思が振込人にあることを意味するので、振込情報書換手段として機能するＣＰＵ２２は、振込人からの要求すなわち“振込情報更新”の選択操作に応じ、現時点でＲＡＭ２４に一時記憶されている指紋に対応してハードディスクドライブ８のデータベースに登録されている振込情報を、タッチパネル１９を介して新たに入力された振込情報すなわちステップＳ６の処理でＲＡＭ２４に一時記憶された振込情報に書き換える（ステップＳ１９）。
【００４３】
また、ステップＳ１７の判定結果が真となった場合、つまり、タッチパネル１９上の“指紋更新”が選択された場合には、指紋の書き換えを行う明確な意思が振込人にあることを意味するので、バイオメトリクス認証データ書換手段として機能するＣＰＵ２２は、振込人からの要求すなわち“指紋更新”の選択操作に応じ、指紋センサ２０を再度作動させて新たな指紋をＲＡＭ２４に改めて読み込み、ステップＳ１１の判定処理で一致を検出されたデータベース上の指紋のデータを、指紋センサ２０を介して新たに入力された指紋のデータすなわち現時点でＲＡＭ２４に一時記憶されている指紋のデータに書き換える（ステップＳ２０）。
【００４４】
ステップＳ２０の処理は、ハードディスクドライブ８のデータベース上に既に登録されている振込情報を維持し、これに対応する指紋のみを書き換える処理であるから、ステップＳ６の処理でＲＡＭ２４に一時記憶された振込情報がステップＳ２０の処理に影響を及ぼすことはない。よって、初めから指紋の書き換えを行う明確な意思を持って振込人が登録モードの操作を実行する場合においては、前述した通り、この振込人は、ステップＳ４の処理で表示されるガイダンスメッセージに従ってタッチパネル１９上の“入力完了”を選択するだけでよく、振込情報をいちいち正確に入力する必要は全くない。
【００４５】
従って、例えば、図８に示されるように、振込人の右手親指の指紋に対応させて振込情報Ｘ１をハードディスクドライブ８のデータベースに登録した後、何らかの事情により、この振込情報Ｘ１を改めて右手薬指の指紋に対応させて再登録する必要が生じた場合、振込人は、まず、ステップＳ４の処理で表示される「指紋を更新する場合には、タッチパネルの“入力完了”を選択するだけで結構です。」のガイダンスメッセージに従ってタッチパネル１９上の“入力完了”を選択し、ステップＳ７の処理で表示される「指紋を更新する場合には、登録済みの指の指紋を読み込ませて下さい。」のガイダンスメッセージに従って登録済の右手親指を指紋センサ２０に置いて指紋の入力を行い、ステップＳ１４〜ステップＳ１５の処理で表示される「この振込情報に対応する指紋を書き換えたければ、タッチパネルの“指紋更新”を選択してから指紋センサに別の指を置いて指紋を再登録して下さい。」のガイダンスメッセージに従ってタッチパネル１９上の“指紋更新”を選択して新たに登録すべき右手薬指を指紋センサ２０に置くだけの簡単な作業で、右手薬指の指紋に振込情報Ｘ１を対応させることができる。また、ステップＳ２０の処理においては、データベース上で指紋データを上書きして書き換えるようになっているので、右手親指の指紋データの登録は自動的に抹消される。
【００４６】
このようにして振込情報の書き換え（ステップＳ１９参照）もしくは指紋の書き換え（ステップＳ２０参照）を行った後、ＣＰＵ２２は、モニタ１８の警戒メッセージやガイダンスメッセージ等の表示をクリアし（ステップＳ１３）、登録モードの処理を終了する。
【００４７】
一方、ステップＳ２の判定処理で振込処理装置３の動作モードを振込モードに切り替える指令が検出された場合、つまり、振込人がタッチパネル１９を操作して金銭の振り込みに関わる操作を要求した場合には、ＣＰＵ２２は、振込モードの処理を開始し、まず、金銭の振り込みに利用する振込情報に対応した指を指紋センサ２０に置く旨のガイダンスメッセージ、例えば、
「振り込みに使用する振込情報に対応した指を指紋センサに置いて下さい。」
等のガイダンスメッセージをモニタ１８に表示し（ステップＳ２１）、振込人による指紋の入力を待つ待機状態に入る（ステップＳ２２）。
【００４８】
そして、振込人が指紋センサ２０に指を置いて指紋を入力すると（図９（ａ）参照）、ＣＰＵ２２は、この指紋を指紋センサ２０を介して読み込み、ＲＡＭ２４に一時記憶する（ステップＳ２３）。
【００４９】
次いで、検索判定手段として機能するＣＰＵ２２が、インターフェイス回路２５と専用回線４およびサーバ２側のＣＰＵ５を介してサーバ２のハードディスクドライブ８にアクセスしてデータベースを検索し（ステップＳ２４，図９（ｃ）参照）、ＲＡＭ２４に一時記憶された指紋と一致する指紋がハードディスクドライブ８のデータベースに既に登録されているか否かを判定する（ステップＳ２５）。
【００５０】
ここで、ステップＳ２５の判定結果が偽となった場合、つまり、ＲＡＭ２４に一時記憶された指紋と一致する指紋がハードディスクドライブ８のデータベースから検索されなかった場合には、ＣＰＵ２２は、金銭の振り込みに関わるステップＳ２９の処理を非実行として金銭の振込処理を禁止し、モニタ１８に所定時間に亘るエラーメッセージの表示を行った後（ステップＳ３０）、このまま振込モードの処理を終了する。
【００５１】
従って、データベースに指紋を登録していない振込人が金銭の振り込みを行うことは完全に禁止される。
【００５２】
これに対し、ステップＳ２５の判定結果が真となった場合、つまり、ＲＡＭ２４に一時記憶された指紋と一致する指紋が既にハードディスクドライブ８のデータベースに登録されていることが明らかとなった場合には、少なくとも、この振込人の指紋の一つがデータベースに登録されていることを意味するので、検索判定手段として機能するＣＰＵ２２が、金銭振込手段の作動、つまり、具体的にはステップＳ２９の処理の実行を許容する。
【００５３】
次いで、ＣＰＵ２２は、ステップＳ２５の判定処理で一致を検出されたデータベース上の振込情報を読み込んでモニタ１８に表示すると共に、内容確認を求めるメッセージ、例えば、
「この内容でよろしいでしょうか？よろしければタッチパネルの“ＯＫ”を、また、内容に誤りがあればタッチパネルの“ＮＧ”を選択して下さい。」
等のメッセージをモニタ１８に表示し（ステップＳ２６，図９（ｂ）参照）、振込人による選択操作を待つ待機状態に入る（ステップＳ２７〜ステップＳ２８）。
【００５４】
ここで、ステップＳ２７の判定結果が真となった場合、つまり、タッチパネル１９上の“ＯＫ”が選択された場合には、検索判定手段として機能するＣＰＵ２２は、金銭振込手段の作動を最終的に許可し、金銭振込手段として機能するＣＰＵ２２が、ステップＳ２５の判定処理で一致を検出されたデータベース上の振込情報に従って、この振込人を対象とした振込処理を実行する（ステップＳ２９）。この際、振込人による振込金額の入力処理等が必要であるが、これらの点に関しては公知技術であるので説明を省略する。
【００５５】
一方、ステップＳ２８の判定結果が真となった場合、つまり、タッチパネル１９上の“ＮＧ”が選択された場合には、この振込人が、振り込みに使用する振込情報と対応していない別の指（但し、この指の指紋もデータベースに登録されている）を指紋センサ２０に置いて指紋を読み込ませてしまったことを意味するので、ＣＰＵ２２は、金銭の振り込みに関わるステップＳ２９の処理を非実行として、このまま振込モードの処理を終了する。
【００５６】
振り込みに使用する振込情報と対応していない別の指を指紋センサ２０に置いて指紋を読み込ませてしまった誤操作の場合、振込人は、タッチパネル１９上の“ＮＧ”を選択して登録モードの処理を一旦終了させた後、改めて、振込処理装置３の動作モードを振込モードに切り替え（ステップＳ２参照）、正しい指を用いて前記と同様の操作を繰り返し実行して金銭の振込処理を行えばよい（ステップＳ２１〜ステップＳ２７，ステップＳ２９参照）。
【００５７】
以上に述べた通り、この実施形態では、バイオメトリクス認証データの一種である指紋を指紋センサ２０を介して振込処理装置３に入力するといった簡単な作業で金銭の振込処理を行うことができるので、振込人は、複雑なパスワードの暗証から開放される。
【００５８】
また、パスワードとは違い、個人の特性に帰属する指紋自体を第三者が盗用することは困難であるため、金銭の振り込みに必要とされる振込情報の安全性が保障される。
【００５９】
更に、データベースに指紋を登録していない振込人が金銭の振り込みを行うことは完全に禁止され、また、データベースに指紋を登録している振込人であっても、この指紋に対応させて予めデータベースに登録した振込情報で特定される取引以外の振り込みは実行できないので、通信種目コード，受信銀行名，支店名，口座番号，受取人名，振込人名等の振込情報の入力ミスを確実に防止することができる。この結果、銀行等を始めとする金融機関においては、組戻処理や正当口座入金処理が不要となり、事務処理の軽減化のメリットが生じる。操作に際して各種のカードは必要でないので、入金操作に必要とされるカードの不携帯、あるいは、暗証番号の失念等によって振込操作が中断されるといった心配もなくなる。
【００６０】
特に、この実施形態では、バイオメトリクス認証データを抽出するセンサとして指紋センサ２０を利用しているので、左右各５指／合計１０指の指の各々に相異なる振込情報を対応させて登録することが可能であり、一人の振込人が最大で１０種類の振込情報を登録して、これらの振込情報を有効利用することができる。
【００６１】
更に、コストを度外視して別の光学センサや音響センサあるいは圧力センサ等を併設し、指紋以外のバイオメトリクス認証データ、例えば、掌紋，手形，虹彩，顔，声紋，筆跡等を抽出できるようにすれば、更に多数の振込情報を一人の振込人が管理することも可能である。
【００６２】
また、何れかの指の指紋がデータベースに登録されていることを前提として振込情報の書き換えや指紋の書き換えを許容するようにしているので、振込人が必要とする取引の変化等に応じて受信銀行名，支店名，口座番号，受取人名等の振込情報を容易に変更することができ、更には、振込情報を書き換えることなく、これに対応する指紋のみを別の指の指紋に再対応させて簡単に登録することもできる。
【００６３】
更に、振込先である受取人が振込元である振込人の指紋を振込先のデータベースに登録しておき、このサービスを利用している受取人への振り込みを、指紋が登録されている振込人のもののみに制限することで、確実な振込証拠とセキュリティの向上を実現することができる。
【図面の簡単な説明】
【００６４】
【図１】本発明の登録振込方法を適用した登録振込システムの構成の概略を示したブロック図である。
【図２】登録振込システムの一部を構成するサーバについて簡略化して示した機能ブロック図である。
【図３】登録振込システムの一部を構成する振込処理装置と指紋センサについて簡略化して示した機能ブロック図である。
【図４】振込処理装置のＣＰＵによって実行される処理の概略を示したフローチャートである（登録モード）。
【図５】振込処理装置のＣＰＵによって実行される処理の概略を示したフローチャートの続きである（登録モード）。
【図６】振込処理装置のＣＰＵによって実行される処理の概略を示したフローチャートの続きである（振込モード）。
【図７】図７（ａ）は登録モードの処理で入力される振込情報の一例を示した概念図、図７（ｂ）は指紋の登録を促すガイダンスメッセージの一例を示した概念図、図７（ｃ）はデータベースに振込情報と指紋とを対応させて新規登録する処理の概要を示した概念図である。
【図８】登録モードの処理で振込情報を保持して指紋の割り付けを変更する場合の処理の一例を示した概念図である。
【図９】図９（ａ）は振込モードの処理で行われる指紋の入力処理を示した概念図、図９（ｂ）は振込情報の内容確認を促すメッセージの一例を示した概念図、図９（ｃ）はデータベースの検索処理について示した概念図である。
【符号の説明】
【００６５】
１  登録振込システム
２  サーバ
３  振込処理装置
４  専用回線
５  ＣＰＵ
６  ＲＯＭ
７  ＲＡＭ
８  ハードディスクドライブ（記憶装置，データベース）
９  入出力回路
１０  キーボード
１１  マウス
１２  モニタ
１３  プリンタ
１４  インターフェイス回路
１５  カード処理装置
１６  現金処理装置
１７  通帳処理装置
１８  モニタ
１９  タッチパネル（データ入力手段，機能切替手段）
２０  指紋センサ（センサ）
２１  ＲＯＭ
２２  ＣＰＵ（検索判定手段，金銭振込手段，振込情報書換手段，バイオメトリクス認証データ書換手段）
２３  入出力回路
２４  ＲＡＭ（一時記憶手段）
２５  インターフェイス回路
【図１】
2006119851.tif 000003
【図２】
2006119851.tif 000004
【図３】
2006119851.tif 000005
【図４】
2006119851.tif 000006
【図５】
2006119851.tif 000007
【図６】
2006119851.tif 000008
【図７】
2006119851.tif 000009
【図８】
2006119851.tif 000010
【図９】
2006119851.tif 000011